(57)【特許請求の範囲】
【請求項１】
交流電源から負荷への電源供給をオン・オフする第１の操作器と、交流電源及び負荷を第１の操作器を介して接続する状態と交流電源及び負荷を第１の操作器を介さずに接続する状態とを選択的に切り換える第２の操作器とからなる負荷制御システムであって、第１の操作器は、交流電源の負荷と接続されていない側の出力端に接続される電源端子と、第２の操作器を介して負荷の交流電源と接続されていない側の一端に接続される負荷接続端子と、前記電源端子と負荷接続端子の間に接続されて交流電源から負荷への電源供給をオン・オフするスイッチング素子と、前記負荷接続端子と前記スイッチング素子との間に１次側が接続された変流器と、該変流器の２次側の出力を整流するダイオードブリッジと、該ダイオードブリッジの出力端間に接続されるコンデンサと、該コンデンサから電源供給を受けるタイマＩＣを具備し該タイマＩＣにより一定時間の限時動作を行うタイマ回路と、該タイマ回路の限時動作中の出力によって前記スイッチング素子をオン状態に保持するとともに限時動作が終了したら前記スイッチング素子をオフする導通保持回路と、操作されたときにのみオンとなり且つ操作されないときにはオフとなる操作スイッチと、該操作スイッチがオンしたときに前記タイマＩＣをトリガしてタイマ回路に限時動作を開始させるフォトカプラとを備え、前記コンデンサは、交流電源の瞬時停電では前記タイマＩＣの動作電源以下まで電圧が下がらず、第２の操作器が少なくとも交流電源及び負荷を第１の操作器を介して接続する状態から交流電源及び負荷を第１の操作器を介さずに接続する状態を経て再度交流電源及び負荷を第１の操作器を介して接続する状態に切り換えられる間に放電して前記タイマＩＣの動作電源以下まで電圧が低下してタイマＩＣをリセット可能な容量値を有することを特徴とする負荷制御システム。
【請求項２】
前記操作スイッチをオン・オフさせるスイッチ機構部を具備して埋込型の配線器具用に規格化されている大角形３個用の取付枠に３個まで取り付けることができる単位寸法の配線器具の２個分の寸法を有し且つその取付枠に設けた取付孔に係合可能な係合爪が両側面に突設されたケースを備え、このケース内に前記スイッチング素子、変流器、ダイオードブリッジ、コンデンサ、タイマ回路、導通保持回路、操作スイッチ、フォトカプラを納装して第１の操作器を構成したことを特徴とする請求項１記載の負荷制御システム。
【請求項３】
前記第１の操作器は、前記操作スイッチと前記フォトカプラとの接続点に設けられ、操作されたときにのみオンとなり且つ操作されないときにはオフとなる増設スイッチが接続される増設スイッチ接続端子を具備したことを特徴とする請求項１又は請求項２記載の負荷制御システム。
【請求項４】
前記第１の操作器は、前記コンデンサの両端に接続され、前記タイマ回路の限時動作が終了したときにオンして前記コンデンサの両端を短絡するトランジスタを具備したことを特徴とする請求項１乃至請求項３記載の負荷制御システム。
【請求項５】
第１の操作器を介して電源から負荷に負荷電流が流れているか否かを表示する表示手段を第１の操作器に具備したことを特徴とする請求項１乃至請求項４記載の負荷制御システム。
【発明の詳細な説明】
【０００１】
【産業上の利用分野】
本発明は、電源から負荷への電源供給をオン・オフして負荷を制御する負荷制御システムに関するものである。
【０００２】
【従来の技術】
従来より、電源から負荷への電源供給をオン・オフして負荷を制御する負荷制御システムが種々提供されている。そのなかで、マンション等の住宅の玄関に配設されたポーチライトと呼ばれる照明負荷を、玄関の軒下の壁面に配設された一時点灯スイッチといわれる第１の操作器で点灯させ、夜間に帰宅して玄関ドアの鍵を開ける際の手間を省くことができるようにしたものがある。
【０００３】
第１の操作器である一時点灯スイッチは、操作されることでポーチライトを点灯し、所定のタイマ時間経過後に自動的にポーチライトを消灯するものであり、このような一時タイマ動作を行なうためにコンデンサと抵抗によるＣＲ充放電を利用したタイマ回路を有している。
ここで、第２の操作器としての３路スイッチが玄関ドアの内側の住宅内に配設されている。この３路スイッチは、ポーチライトを常時点灯させる常時オン状態と、一時タイマ動作（一時点灯）とが選択でき、一方一時点灯スイッチ側では、３路スイッチが一時タイマ動作（一時点灯）可能な状態でのみ一時タイマ動作の操作ができるようになっている。
【０００４】
【発明が解決しようとする課題】
ところが、上記従来例では、一時タイマ動作中にポーチライトのような負荷を強制的にオフ（消灯）することができないという問題があった。すなわち、３路スイッチによって一時タイマ動作可能な状態から常時オン状態に切り換え、さらに一時タイマ動作可能な状態に切り換えたときに、タイマ回路のコンデンサに充電電荷が残っているために一時タイマスイッチが引き続いて残りの限時動作を行なうような誤動作を起こす場合があるという問題があった。
【０００５】
また、上記従来例では負荷電流が低い低負荷（２０ｍＡ程度）である場合に、２線配線式であると動作を維持するだけの回路電流を得ることが困難であるという問題もあった。
更に、待機時にもシステムにおいてある程度の電流が消費されるため、負荷としてグローランプをスタータとする蛍光灯を用いた場合には、蛍光灯が消灯している間にもその消費電流によりグローランプにちらつきが生じるという問題があった。
【０００６】
本発明は上記問題点の解決を目的とするものであり、負荷をオンする限時動作中にも強制的に負荷をオフすることができる負荷制御システムを提供しようとするものである。
【０００７】
【課題を解決するための手段】
請求項１の発明は、上記目的を達成するために、交流電源から負荷への電源供給をオン・オフする第１の操作器と、交流電源及び負荷を第１の操作器を介して接続する状態と交流電源及び負荷を第１の操作器を介さずに接続する状態とを選択的に切り換える第２の操作器とからなる負荷制御システムであって、第１の操作器は、交流電源の負荷と接続されていない側の出力端に接続される電源端子と、第２の操作器を介して負荷の交流電源と接続されていない側の一端に接続される負荷接続端子と、前記電源端子と負荷接続端子の間に接続されて交流電源から負荷への電源供給をオン・オフするスイッチング素子と、前記負荷接続端子と前記スイッチング素子との間に１次側が接続された変流器と、該変流器の２次側の出力を整流するダイオードブリッジと、該ダイオードブリッジの出力端間に接続されるコンデンサと、該コンデンサから電源供給を受けるタイマＩＣを具備し該タイマＩＣにより一定時間の限時動作を行うタイマ回路と、該タイマ回路の限時動作中の出力によって前記スイッチング素子をオン状態に保持するとともに限時動作が終了したら前記スイッチング素子をオフする導通保持回路と、操作されたときにのみオンとなり且つ操作されないときにはオフとなる操作スイッチと、該操作スイッチがオンしたときに前記タイマＩＣをトリガしてタイマ回路に限時動作を開始させるフォトカプラとを備え、前記コンデンサは、交流電源の瞬時停電では前記タイマＩＣの動作電源以下まで電圧が下がらず、第２の操作器が少なくとも交流電源及び負荷を第１の操作器を介して接続する状態から交流電源及び負荷を第１の操作器を介さずに接続する状態を経て再度交流電源及び負荷を第１の操作器を介して接続する状態に切り換えられる間に放電して前記タイマＩＣの動作電源以下まで電圧が低下してタイマＩＣをリセット可能な容量値を有することを特徴とする。
【０００８】
請求項２の発明は、請求項１の発明において、前記操作スイッチをオン・オフさせるスイッチ機構部を具備して埋込型の配線器具用に規格化されている大角形３個用の取付枠に３個まで取り付けることができる単位寸法の配線器具の２個分の寸法を有し且つその取付枠に設けた取付孔に係合可能な係合爪が両側面に突設されたケースを備え、このケース内に前記スイッチング素子、変流器、ダイオードブリッジ、コンデンサ、タイマ回路、導通保持回路、操作スイッチ、フォトカプラを納装して第１の操作器を構成したことを特徴とする。
【０００９】
請求項３の発明は、請求項１又は請求項２の発明において、前記第１の操作器は、前記操作スイッチと前記フォトカプラとの接続点に設けられ、操作されたときにのみオンとなり且つ操作されないときにはオフとなる増設スイッチが接続される増設スイッチ接続端子を具備したことを特徴とする。
請求項４の発明は、請求項１乃至請求項３の発明において、前記第１の操作器は、前記コンデンサの両端に接続され、前記タイマ回路の限時動作が終了したときにオンして前記コンデンサの両端を短絡するトランジスタを具備したことを特徴とする。
【００１０】
請求項５の発明は、請求項１乃至請求項４の発明において、第１の操作器を介して電源から負荷に負荷電流が流れているか否かを表示する表示手段を第１の操作器に具備したことを特徴とする。
【００１１】
【作用】
請求項１の発明の構成では、前記タイマ回路のタイマＩＣに電源を供給する前記コンデンサが、交流電源の瞬時停電では前記タイマＩＣの動作電源以下まで電圧が下がらず、第２の操作器が少なくとも交流電源及び負荷を第１の操作器を介して接続する状態から交流電源及び負荷を第１の操作器を介さずに接続する状態を経て再度交流電源及び負荷を第１の操作器を介して接続する状態に切り換えられる間に放電して前記タイマＩＣの動作電源以下まで電圧が低下してタイマＩＣをリセット可能な容量値を有するものであるから、第１の操作器のタイマ回路による限時動作中に第２の操作器を操作し、第１の操作器を一旦交流電源及び負荷から切り離せば、例え第２の操作器を再度操作して第１の操作器を交流電源及び負荷に接続しても、第１の操作器においては変流器の２次側出力による前記コンデンサの充電が行われなくなるから、前記コンデンサの充電電荷が交流電源及び負荷に再度接続されるまでの間に放電されてしまうので、再び第２の操作器を操作して第１の操作器を電源及び負荷に接続したときには、第１の操作器の前記コンデンサからはタイマ回路に電源供給が行なわれない。よって、タイマ回路のタイマＩＣは前記コンデンサの電圧が動作電源以下に低下することでリセットされ、限時動作中に負荷を強制的にオフすることができるとともに、タイマ回路が誤動作することがないものである。
【００１２】
請求項２の発明の構成では、前記操作スイッチをオン・オフさせるスイッチ機構部を具備して埋込型の配線器具用に規格化されている大角形３個用の取付枠に３個まで取り付けることができる単位寸法の配線器具の２個分の寸法を有し且つその取付枠に設けた取付孔に係合可能な係合爪が両側面に突設されたケースを備え、このケース内に前記スイッチング素子、変流器、ダイオードブリッジ、コンデンサ、タイマ回路、導通保持回路、操作スイッチ、フォトカプラを納装して第１の操作器を構成したので、取付枠を用いる埋込型の配線器具と取付枠などを共用することができる。
【００１３】
請求項３の発明の構成では、前記第１の操作器は、前記操作スイッチと前記フォトカプラとの接続点に設けられ、操作されたときにのみオンとなり且つ操作されないときにはオフとなる増設スイッチが接続される増設スイッチ接続端子を具備したので、増設スイッチ接続端子に増設スイッチを送り配線することができる。
請求項４の発明の構成では、前記第１の操作器は、前記コンデンサの両端に接続され、前記タイマ回路の限時動作が終了したときにオンして前記コンデンサの両端を短絡するトランジスタを具備したので、タイマ回路による限時動作が一旦終了したら前記コンデンサの両端をトランジスタを介して短絡することで充電電荷を強制的に放電してタイマＩＣにおける限時動作がリセットされ、限時動作終了後におけるタイマ回路の誤動作を防止できる。
【００１４】
請求項５の発明の構成では、第１の操作器を介して電源から負荷に負荷電流が流れているか否かを表示する表示手段を第１の操作器に具備したので、第１の操作器の側で負荷の制御状態を確認することができる。
【００１５】
【実施例】
以下の実施例では、玄関に配設されるポーチライトのような照明負荷を負荷とする場合について説明するが、負荷の種類は必ずしもこれに限定されるものではなく、一定時間後にオフにすべき負荷を操作する場合であれば、本発明の技術思想を適用することが可能である。
【００１６】
図２は本実施例における負荷制御システムの構築例を示すブロック図である。本実施例では、従来例で説明したポーチライトのような照明負荷１を玄関外に配設した第１の操作器たる一時点灯スイッチＡと、玄関内に配設した第２の操作器たる３路スイッチＢとを用いて２箇所で負荷制御できるようにしている。すなわち、３路スイッチＢによって一時点灯スイッチＡが交流電源ＡＣ及び照明負荷１に接続されているときには、一時点灯スイッチＡによって照明負荷１をオン・オフ制御でき、３路スイッチＢによって一時点灯スイッチＡが交流電源ＡＣ及び照明負荷１から切り離されたときには、照明負荷１は３路スイッチＢを介して交流電源ＡＣから常時電流が供給されて点灯するようになっている。ここで、３路スイッチＢは周知の構成を有するものであって、共通端子を異なる２つの端子に切り換え接続するためのスイッチである。
【００１７】
図１に本発明の実施例における一時点灯スイッチＡの回路を示す。電源端子Ｅと負荷接続端子Ｌとの間には、３路スイッチＢを介して照明負荷１と交流電源ＡＣとの直列回路を接続する。したがって、３路スイッチＢによって一時点灯スイッチＡが交流電源ＡＣ及び照明負荷１に接続された状態（図１の状態）において、一時点灯スイッチＡの電源端子Ｅと負荷接続端子Ｌとの間に接続されたスイッチング素子Ｑ１  がオンであれば照明負荷１がオンとなる。
【００１８】
電源供給部２は、負荷接続端子Ｌとスイッチング素子Ｑ１  との間に１次側が接続された変流器ＣＴと、変流器ＣＴの２次側の出力を整流するダイオードブリッジＤＢ１  とを備え、ダイオードブリッジＤＢ１  の出力が、抵抗Ｒ３  とツェナーダイオードＺＤとによって波高値を制限されて、電源供給手段たるコンデンサＣ０  を充電する。
【００１９】
遅延部３は、変流器ＣＴの１次側のスイッチング素子Ｑ１  の側に変流器ＣＴと並列に電源端子Ｅ及び負荷接続端子Ｌの間に接続されたスイッチ手段たる操作スイッチＳＷ１  を操作してオンした後に一定時間の限時動作を行なうタイマ回路４と、このタイマ回路４の限時動作中の出力によってスイッチング素子Ｑ１  をオン状態に保持する導通保持回路５とから成る。
【００２０】
タイマ回路４は、コンデンサＣ０  から電源供給を受けて動作するタイマＩＣ４ａを備えている。ここで、タイマＩＣ４ａには固定抵抗Ｒ４  とコンデンサＣ１  と可変抵抗ＶＲとから成る時定数回路が接続され、この可変抵抗ＶＲの抵抗値を調節することによってコンデンサＣ１  の電荷の放電時間が調節される。すなわち、上記時定数回路の放電時間によりタイマＩＣ４ａの限時動作（一時タイマ動作）の期間（タイマ時間）が決定される。
【００２１】
また、操作スイッチＳＷ１  と直列に接続された発光ダイオードＬＥＤと光結合してフォトカプラＰＣを構成するホトトランジスタＰＴｒが抵抗Ｒ５  を介してコンデンサＣ０  と並列に接続されている。この抵抗Ｒ５  とホトトランジスタＰＴｒとの接続点には抵抗Ｒ６  を介してインバータＩＮＶ１  の入力端とコンデンサＣ２  とが並列接続されている。このインバータＩＮＶ１  の出力端は、タイマＩＣ４ａのトリガ端子に出力端が接続された別のインバータＩＮＶ２  の入力端に接続されている。また、このタイマＩＣ４ａのトリガ端子はコンデンサＣ３  を介して接地されるとともに、ダイオードＤ１  を介してタイマＩＣ４ａの出力端子に接続されている。
【００２２】
導通保持回路５は、ダイオードブリッジＤＢ２  、サイリスタＴｈ、トランジスタＱ２  等を用いて構成してあり、タイマＩＣ４ａの出力端子からＬレベルの信号が出力されている期間、すなわち、タイマＩＣ４ａが限時動作を行なっている期間中スイッチング素子Ｑ１  を導通状態に保持する。
またタイマＩＣ４ａの出力端子にはインバータＩＮＶ３  を介して放電手段たるＰＮＰ形のトランジスタＱ３  のベースが接続してある。このトランジスタＱ３  のコレクタ、エミッタはダイオードブリッジＤＢ１  の出力端間に接続されている。すなわち、タイマＩＣ４ａが限時動作中のときには出力端子がＬレベルであるからトランジスタＱ３  はオフし、タイマＩＣ４ａが限時動作を終了して出力端子がＨレベルになるとトランジスタＱ３  がオンする。よって、タイマＩＣ４ａの限時動作が終了するとトランジスタＱ３  によってコンデンサＣ０  の両端が短絡されるから、コンデンサＣ０  の電荷が速やかに放電されてタイマＩＣ４ａの動作が停止する。
【００２３】
変流器ＣＴより電源端子Ｅ側において電源端子Ｅと負荷接続端子Ｌとの間に動作表示用のネオンランプＮＥと限流抵抗Ｒ１  とが直列接続される。したがって、スイッチング素子Ｑ１  が非導通状態（オフ状態）であるときに、すなわち、照明負荷１がオフであるときには、照明負荷１及び限流抵抗Ｒ１  を通してネオンランプＮＥに電流が流れて点灯する。また、スイッチング素子Ｑ１  が導通状態（オン状態）であるとき、すなわち、照明負荷１がオンであるときには、ネオンランプＮＥの両端間に充分な電圧が印加されないからネオンランプＮＥは消灯する。要するに、ネオンランプＮＥが点灯していれば、照明負荷１がオフであり、ネオンランプＮＥが消灯していれば、照明負荷１がオンであることを示す。すなわち、本実施例ではネオンランプＮＥを表示手段としている。
【００２４】
また、操作スイッチＳＷ１  とフォトカプラＰＣの発光ダイオードＬＥＤとの接続点には、電源端子Ｅとの間で一時点灯スイッチＡの操作スイッチＳＷ１  と全く同じ機能を持った増設スイッチＳＷ２  を接続するための増設スイッチ接続端子Ｓが設けてある。ここで、操作スイッチＳＷ１  が操作されてオンすることにより、操作スイッチＳＷ１  に負荷電流の一部が流れるとフォトカプラＰＣがオンとなってタイマ回路４がトリガされるものであるから、電源端子Ｅと増設スイッチ接続端子Ｓの間に接続された増設スイッチＳＷ２  を操作してもフォトカプラＰＣをオンさせることができる。すなわち、本実施例においてはフォトカプラＰＣによって操作スイッチＳＷ１が操作されたことを負荷電流の通電によって検出する検出手段を構成したから、操作スイッチＳＷ１  及び増設スイッチＳＷ２  に交流電源ＡＣ（交流１００Ｖ）に対応したスイッチを用いれば、増設スイッチＳＷ２  を増設する際に一方の端子（電源端子Ｅ）を送り配線することができ、増設時の施工作業を簡素化することができるという利点がある。
【００２５】
次に、上記回路の動作を説明する。ここで、一時点灯スイッチＡは３路スイッチＢによって交流電源ＡＣ及び照明負荷１に接続された状態（これを待機状態と呼ぶ）にあるものとする。このとき、タイマ回路４のタイマＩＣ４ａが限時動作を行なっていないときには、ＰＮＰ形のトランジスタＱ２  はオフになっており、サイリスタＴｈのゲートにはトリガ信号が印加されないため、サイリスタＴｈはオフとなり、トライアックより成るスイッチング素子Ｑ１  のゲートにもトリガ信号が印加されないためにスイッチング素子Ｑ１  もオフに保たれる。一方、交流電源ＡＣ−限流抵抗Ｒ１  −ネオンランプＮＥ−照明負荷１という経路には電流が流れるが、照明負荷１を駆動するのに充分な電流ではないため、ネオンランプＮＥのみが点灯する。
【００２６】
ここで、操作スイッチＳＷ１  を操作してオンすると、電源端子Ｅ−負荷接続端子Ｌ間が操作スイッチＳＷ１  を介して短絡され、交流電源ＡＣ−操作スイッチＳＷ１  −発光ダイオードＬＥＤ−変流器ＣＴの１次側−３路スイッチＢ−照明負荷１の経路で電流が流れ、照明負荷１に充分な電流が供給されてオンする。一方、変流器ＣＴの２次側−ダイオードブリッジＤＢ１  −コンデンサＣ０  の経路でコンデンサＣ０  が充電され、コンデンサＣ０  を電源としてタイマＩＣ４ａが動作する。ここで、フォトカプラＰＣの発光ダイオードＬＥＤが通電することによりホトトランジスタＰＴｒがオンし、インバータＩＮＶ１  の入力がＬレベルとなる。それにより、インバータＩＮＶ２  の出力もＬレベルとなるから、ダイオードＤ１  が導通してトランジスタＱ２  がオンし、サイリスタＴｈのゲートにトリガ信号が印加されてサイリスタＴｈがオンする。さらに、サイリスタＴｈのオンによりスイッチング素子Ｑ１  のゲートにトリガ信号が印加され、スイッチング素子Ｑ１  がオンし、電源端子Ｅ−負荷接続端子Ｌ間にスイッチング素子Ｑ１  を通して電流が流れ、照明負荷１に負荷電流が供給される。
【００２７】
また、操作スイッチＳＷ１  は操作されている間だけオンになるため、操作スイッチＳＷ１  が操作されなくなってオフになれば、フォトカプラＰＣの発光ダイオードＬＥＤにも通電されず、フォトカプラＰＣはオフになる。ただし、このときには既にスイッチング素子Ｑ１  がオンしており、操作スイッチＳＷ１  がオフになっても遅延部３には電源供給部２の変流器ＣＴを介して電源が供給される。操作スイッチＳＷ１  がオフになれば、コンデンサＣ２  が充電されてインバータＩＮＶ１  の出力がＬレベルからＨレベルに反転し、それによりインバータＩＮＶ２  の出力もＬレベルからＨレベルに反転する。よってタイマＩＣ４ａのトリガ端子にＨレベルの信号が印加されてタイマＩＣ４ａが限時動作を開始し、限時動作中はタイマＩＣ４ａの出力端子はＬレベルとなる。したがって、トランジスタＱ２  はオンのままであるから、サイリスタＴｈを通じてスイッチング素子Ｑ１  にトリガ信号が印加され、スイッチング素子Ｑ１  のオン状態が保持される。なお、ここで交流電源ＡＣが瞬時断した場合でも、タイマＩＣ４ａの動作電源はコンデンサＣ０  から供給されるため、タイマＩＣ４ａの限時動作は中断されず、スイッチング素子Ｑ１  のオン状態が維持される。
【００２８】
そして、可変抵抗ＶＲの抵抗値によって調節された限時時間を経過してタイマＩＣ４ａの限時動作が終了すれば、タイマＩＣ４ａの出力端子がＬレベルからＨレベルに反転し、トランジスタＱ２  がオフとなってサイリスタＴｈのゲートにトリガ信号が印加されなくなるため、サイリスタＴｈのアノード−カソード間が０ＶになったときにがサイリスタＴｈがオフする。これによりスイッチング素子Ｑ１  もオフするから、照明負荷１に充分な負荷電流が流れなくなって照明負荷１はオフする。同時に、トランジスタＱ３  がオンとなり、コンデンサＣ０  −トランジスタＱ３  −放電抵抗Ｒ８  の経路でコンデンサＣ０  の電荷が放電される。しかも、このときには、負荷電流が流れなくなっているため、変流器ＣＴからのコンデンサＣ０  の充電電流供給はなくなっているから、コンデンサＣ０  の両端電圧がタイマＩＣ４ａの動作可能電圧以下となればタイマＩＣ４ａはリセットされる。
【００２９】
一方、タイマＩＣ４ａの限時動作中に、３路スイッチＢが操作されて一時点灯スイッチＡが交流電源ＡＣ及び照明負荷１から切り離されると、電源端子Ｅ−負荷接続端子Ｌ間に対する交流電源ＡＣからの電源供給が遮断されるため、コンデンサＣ０  には変流器ＣＴからの充電電流が流れなくなり、コンデンサＣ０  の充電電荷が放電してタイマＩＣ４ａの動作電源以下となると、タイマＩＣ４ａはリセットされる。そして、再度３路スイッチＢを操作して一時点灯スイッチＡを交流電源ＡＣ及び照明負荷１に接続すれば、一時点灯スイッチＡは待機状態となる。すなわち、３路スイッチＢによって交流電源ＡＣからの一時点灯スイッチＡへの電源供給を断つことで、タイマＩＣ４ａの限時動作（一時タイマ動作）を強制的にオフすることができるのである。ここで、電源供給手段たるコンデンサＣ０  は、交流電源ＡＣの瞬時停電（約０．１秒程度）では充電電荷が殆ど放電せずにタイマＩＣ４ａに動作電源を供給でき、上記のように３路スイッチＢが少なくとも２回操作される間には放電してタイマＩＣ４ａの動作電源以下となってタイマＩＣ４ａをリセットできるような容量値のものである。
【００３０】
また、タイマ回路４のタイマＩＣ４ａの消費電流はごく僅かであって、負荷電流が低い場合（約２０ｍＡ程度）であっても、変流器ＣＴを介して充電されるコンデンサＣ０  によって動作が可能である。そのため、低負荷（約２Ｗ程度）にも対応することができる。しかも、一時点灯スイッチＡにおいては待機時に殆ど電流を消費せず、また、限時動作終了後即座にコンデンサＣ０  を放電させるため、従来例で述べたような誤動作を起こすことがなく、耐ノイズ性を向上させることができるとともに、照明負荷１にグローランプをスタータとする蛍光灯を使用した場合には、待機時におけるグローランプのちらつきを防止することができるという利点もある。
【００３１】
図３乃至図６は本実施例における一時点灯スイッチＡの構造を示しており、スイッチ手段たる操作スイッチＳＷ１  をオン・オフするスイッチ機構部と、図１に示す回路等とを納装するケース３０は、ＪＩＳの大角形３個用の取付枠に３個まで取り付けることができる単位寸法の配線器具の２個分（２個モジュールという）の寸法に対応して形成されたもので合成樹脂製のボディ３０ａと、合成樹脂製のカバー３０ｂとからなり、ボディ３０ａとカバー３０ｂは図５に示すようにカバー３０ｂの対向する一対の端面から垂下したボディ係合脚４６に設けたボディ係合孔４７をボディ３０ａの係合突起４８に係合させて結合するようになっている。
【００３２】
カバー３０ｂは埋め込みボックス取付け用取付枠６０に対して取付けるための係合爪３１を両側面に夫々一体に突設してある。
また、ボディ３０ａの片側には接続端子収納部３２，  ３３を形成し、一方の接続端子収納部３２には接続端子３４ａを構成する端子板３５、鎖錠ばね３６からなる一対の速結端子及び共通の解除釦３７を収納し、他方の接続端子収納部３３には接続端子３４ｂを構成する端子板３５、鎖錠ばね３６からなる一対の速結端子及び共通の解除釦３７を収納しており、ボディ３０ａの下面には各速結端子に対応する電線挿入孔３８ａ、３８ｂが設けられ、これら電線挿入孔３８ａ，３８ｂに電線の芯線を挿入することにより接続端子３４ａには交流電源ＡＣと照明負荷１を図１に示すように電気的に接続でき、また接続端子３４ｂには増設スイッチＳＷ２  を増設する際に片側の送り配線が接続することができる。
【００３３】
ボディ３０ａの開口部には図１の回路を実装したプリント基板３９（図２参照）を納装しており、このプリント基板３９の上面にはマイクロスイッチからなる操作スイッチＳＷ１  のスイッチ機構部、可変抵抗ＶＲ、ネオンランプＮＥを配置しており、スイッチ機構部の可動ばね５０と、カバー３０ｂとの間には駆動釦４１を介在させている。この駆動釦４１は中央上面に設けた突起４１ｂをカバー３０ｂより外部に突出させ、傾斜を持たせた裏側の端部を可動ばね５０に当接させて可動ばね５０と一体になった圧縮ばね５１により外方へ付勢されており、突起４１ｂを介して外力により駆動釦４１が圧縮ばね５１の付勢に抗して押し下げられると、駆動釦４１の裏面端部が可動ばね５０を押し駆動し、可動ばね５０の先端に固着された可動接点５２を固定接点５３に接触するようになっている。すなわち、操作スイッチＳＷ１  によりオン・オフされる可動接点５２と固定接点５３は常開接点となっている。
【００３４】
可変抵抗ＶＲの操作軸には帽子状の操作摘子４２が嵌着されており、操作摘子４２はその先端をカバー３０ｂより外部に露出して、外部からドライバ等の治具により可変抵抗ＶＲを回転操作することができるようにしている。
また上記ネオンランプＮＥはカバー３０ａの透光窓部４３の下方に位置しており、この透光窓部４３を通じて外部へネオンランプＮＥの光が出るようになっている。
【００３５】
このようにして構成されたケース３０には図５及び図６に示すようにピアノハンドル状の操作ハンドル４４の一端が枢支され、この操作ハンドル４４が押されると、駆動釦４１を通じてケース３０内の操作スイッチＳＷ１  をスイッチ機構部を介してオン駆動でき、押し操作が解除されると、圧縮ばね５１の付勢力を受けた駆動釦４１が操作ハンドル４４を押して操作ハンドル４４を元の状態に戻す。
【００３６】
操作ハンドル４４にはカバー３０ｂの透光窓部４３に対向する透光部４４ｂを設けており、この透光部を介してネオンランプＮＥの発光が視認できることになる。
また、取付枠６０に設けた窓部６２にケース３０を挿入した状態で、係合爪３１を取付枠６０の取付孔６１に係合させることによって、ケース３０が取付枠６０に固定されるのである。したがって、取付枠６０を用いる埋込型の配線器具と取付枠６０などを共用することができ、取付用の部材をあらたに製造する必要がないから製造コストの低減につながり、また施工時においても配線器具と同様の施工技術を適用できるから新たな技術の習得が不要になるのである。
【００３７】
【発明の効果】
請求項１の発明は、前記タイマ回路のタイマＩＣに電源を供給する前記コンデンサが、交流電源の瞬時停電では前記タイマＩＣの動作電源以下まで電圧が下がらず、第２の操作器が少なくとも交流電源及び負荷を第１の操作器を介して接続する状態から交流電源及び負荷を第１の操作器を介さずに接続する状態を経て再度交流電源及び負荷を第１の操作器を介して接続する状態に切り換えられる間に放電して前記タイマＩＣの動作電源以下まで電圧が低下してタイマＩＣをリセット可能な容量値を有するものであるから、第１の操作器のタイマ回路による限時動作中に第２の操作器を操作し、第１の操作器を一旦交流電源及び負荷から切り離せば、例え第２の操作器を再度操作して第１の操作器を交流電源及び負荷に接続しても、第１の操作器においては変流器の２次側出力による前記コンデンサの充電が行われなくなるから、前記コンデンサの充電電荷が交流電源及び負荷に再度接続されるまでの間に放電されてしまうので、再び第２の操作器を操作して第１の操作器を電源及び負荷に接続したときには、第１の操作器の前記コンデンサからはタイマ回路に電源供給が行なわれず、タイマ回路のタイマＩＣは前記コンデンサの電圧が動作電源以下に低下することでリセットされ、限時動作中に負荷を強制的にオフすることができるとともに、タイマ回路の誤動作を防止することができるという効果がある。
【００３８】
請求項２の発明は、前記操作スイッチをオン・オフさせるスイッチ機構部を具備して埋込型の配線器具用に規格化されている大角形３個用の取付枠に３個まで取り付けることができる単位寸法の配線器具の２個分の寸法を有し且つその取付枠に設けた取付孔に係合可能な係合爪が両側面に突設されたケースを備え、このケース内に前記スイッチング素子、変流器、ダイオードブリッジ、コンデンサ、タイマ回路、導通保持回路、操作スイッチ、フォトカプラを納装して第１の操作器を構成したので、取付枠を用いる埋込型の配線器具と取付枠などを共用することができ、取付用の部材を新たに製造する必要がないから製造コストの低減が図れるという効果がある。
【００３９】
請求項３の発明は、前記第１の操作器は、前記操作スイッチと前記フォトカプラとの接続点に設けられ、操作されたときにのみオンとなり且つ操作されないときにはオフとなる増設スイッチが接続される増設スイッチ接続端子を具備したので、増設スイッチ接続端子に増設スイッチを送り配線することができ、増設スイッチを増設する際の施工作業を簡素化することができるという効果がある。
【００４０】
請求項４の発明は、前記第１の操作器は、前記コンデンサの両端に接続され、前記タイマ回路の限時動作が終了したときにオンして前記コンデンサの両端を短絡するトランジスタを具備したので、タイマ回路による限時動作が一旦終了したら前記コンデンサの両端をトランジスタを介して短絡することで充電電荷を強制的に放電してタイマＩＣにおける限時動作がリセットされ、限時動作終了後におけるタイマ回路の誤動作を防止でき、耐ノイズ性を向上させることができるという効果がある。
【００４２】
請求項５の発明は、第１の操作器を介して電源から負荷に負荷電流が流れているか否かを表示する表示手段を第１の操作器に具備したので、第１の操作器の側で負荷の制御状態を確認することができ、使い勝手が向上するという効果がある。
【図面の簡単な説明】
【図１】実施例の負荷制御システムに使用される一時点灯スイッチの回路図である。
【図２】同上の負荷制御システムを示すシステム構成図である。
【図３】（ａ）〜（ｃ）は同上の一時点灯スイッチの要部を示す図である。
【図４】（ａ）〜（ｅ）は同上の一時点灯スイッチの構造を示す図である。
【図５】同上の一時点灯スイッチの分解斜視図である。
【図６】（ａ）〜（ｃ）は同上の一時点灯スイッチを取付枠に取着した状態を示す図である。
【符号の説明】
１  照明負荷
２  電源供給部
３  遅延部
４  タイマ回路
５  導通保持回路
ＡＣ  交流電源
Ａ  一時点灯スイッチ
Ｂ  ３路スイッチ
Ｑ１    スイッチング素子
ＣＴ  変流器
ＳＷ１    操作スイッチ
【図１】
0003564761.tif 000002
【図２】
0003564761.tif 000003
【図３】
0003564761.tif 000004
【図４】
0003564761.tif 000005
【図５】
0003564761.tif 000006
【図６】
0003564761.tif 000007